(57)【要約】【課題】  複数の画面を利用したプレゼンテーションを行う際に、聞き手側が注視すべき画面を容易に知ることができるプレゼンテーションシステムを提供することを目的としている。【解決手段】  プレゼンテーションシステム１０は、投影されている複数の画面の中から所定の画面を選択する画面選択部２と、画面選択部２によって選択された画面を画面選択部２によって選択されていない画面から識別できるよう表示を制御する表示制御部４を備える。さらに、プレゼンテーションシステム１０は、投影されている複数の画面のうちの切替わった画面を検出する切替画面検出部３を備え、表示制御部４は、切替画面検出部３により検出された切替画面を切替が行われていない画面から識別できるよう表示を制御する。【選択図】          図１
2006251258.tif 000002
【特許請求の範囲】
【請求項１】
投影されている複数の画面の中から所定の画面を選択する選択手段と、
前記選択手段によって選択された画面を前記選択手段によって選択されていない画面から識別できるよう表示を制御する制御手段と
を備えることを特徴とするプレゼンテーションシステム。
【請求項２】
投影されている複数の画面のうちの切替わった画面を検出する検出手段と、
前記検出手段により検出された切替画面を切替が行われていない画面から識別できるよう表示を制御する制御手段と
を備えることを特徴とするプレゼンテーションシステム。
【請求項３】
前記制御手段は、所定の時間だけ前記画像を識別できるよう表示を制御することを特徴とする請求項１または請求項２に記載のプレゼンテーションシステム。
【請求項４】
前記制御手段は、前記画面に対して枠の付加、前記画面の明度の変化、デザインフォームの変更および前記画面の拡大のうちの少なくとも一つにより前記画面を識別できるよう表示を制御することを特徴とする請求項１または請求項２に記載のプレゼンテーションシステム。
【請求項５】
前記制御手段は、資料が重なり合うよう表示を制御することを特徴とする請求項１に記載のプレゼンテーションシステム。
【請求項６】
前記複数の画面を切替えて投影する投影手段をさらに備えることを特徴とする請求項１または請求項２に記載のプレゼンテーションシステム。
【請求項７】
前記画面を識別できるよう表示を制御する際に音声により報知する報知手段をさらに備えることを特徴とする請求項１または請求項２に記載のプレゼンテーションシステム。
【請求項８】
投影されている複数の画面の中から所定の画面を選択するステップと、
前記選択された画面を前記選択されていない画面から識別できる表示を制御するステップと
を有することを特徴とするプレゼンテーション支援方法。
【請求項９】
投影されている複数の画面のうちの切替わった画面を検出するステップと、
前記切替画面を切替が行われていない画面から識別できるよう表示を制御するステップと
を有することを特徴とするプレゼンテーション支援方法。
【発明の詳細な説明】
【技術分野】
【０００１】
本発明は、複数の画面を同時に利用してプレゼンテーションを行うプレゼンテーションシステムおよびプレゼンテーション支援方法に関する。
【背景技術】
【０００２】
従来、パーソナルコンピュータ（ＰＣ）のプレゼンテーション用ソフトウェアで作成した資料（スライド）を大型ディスプレイやプロジェクターによる投影画面へ提示する方法によるプレゼンテーションが行われることが多い。プレゼンテーション資料の見映えがよく、聞き手にとってわかりやすいプレゼンテーションを狙ったものである。
【０００３】
例えば、特許文献１では、インターネットサーバーにアクセス可能な情報を、複数の画面に提示するプレゼンテーションシステムを提案している。インターネットに接続されたシステムを利用することで、様々な情報を複数の画面に同時に提示することが可能なシステムである。
【０００４】
また、特許文献２では、ユーザの動作状態に基づいて、表示画面のなかに強調効果を与えるシステムを提案している。強調を希望する箇所を予め指定しておく必要がなく、発表に沿ってフレキシブルに強調効果を与えることができるシステムである。
【０００５】
【特許文献１】特開２００３−３２３１６６号公報
【特許文献２】特開２００２−３５８０６３号公報
【発明の開示】
【発明が解決しようとする課題】
【０００６】
しかしながら、特許文献１のプレゼンテーションシステムでは、提示する情報は単体画面でなく複数画面であるので情報量が多いため、発表の聞き手側からすると、発表者が報告している内容が提示されている複数画面のどの画面に対応しているのかわかりにくく、注視すべき画面が不明である、という問題がある。特に、発表の進行に応じてスライドが切替わる画面が複数あった場合、聞き手側は画面の切替わりの度に提示されている全ての画面を見比べて、どの画面が変わっているのかを見比べるという、戸惑いを示す行為を行う状況になる。
【０００７】
また、複数画面を利用したプレゼンテーションの場合、発表者が発表で注視させたい画面はプレゼンテーションの進行に伴って変わることが普通である。しかし、発表者が発表で注視させたい画面が聞き手に十分伝わらないために、発表者が注視してもらいたい画面と聞き手が注視している画面にズレができる。結果として聞き手側は発表内容への理解が不十分になる。
【０００８】
また、特許文献２は、表示させる画面のなかで強調効果を与えるシステムである。単一画面の場合は、聞き手側が注視する範囲が狭いため、強調箇所を画面のなかから容易に見つけることができるが、複数の画面を用いた場合は、聞き手側は注視する範囲が広いため、画面のなかの強調箇所を探索することが容易でない。したがって、聞き手側が画面のなかの強調効果表示部分を探している間に、発表者の説明が進んでしまう。その結果、聞き手は強調箇所を見逃してしまうことになる。
【０００９】
そこで、本発明は、上記問題点に鑑みてなされたもので、複数の画面を利用したプレゼンテーションを行う際に、聞き手側が注視すべき画面を容易に知ることができるプレゼンテーションシステムおよびプレゼンテーション支援方法を提供することを目的としている。
【課題を解決するための手段】
【００１０】
上記課題を解決するために、本発明は、投影されている複数の画面の中から所定の画面を選択する選択手段と、前記選択手段によって選択された画面を前記選択手段によって選択されていない画面から識別できるよう表示を制御する制御手段とを備えるプレゼンテーションシステムである。本発明によれば、複数の画面を利用してプレゼンテーションを実施する場合、発表者が注視してもらいたい画面を選択し、表示することで、聞き手は注視すべき画面を容易に知ることが可能となる。
【００１１】
本発明は、投影されている複数の画面のうちの切替わった画面を検出する検出手段と、前記検出手段により検出された切替画面を切替が行われていない画面から識別できるよう表示を制御する制御手段とを備えるプレゼンテーションシステムである。本発明によれば、聞き手は注視すべき画面を容易に知ることが可能となる。そのため、聞き手は注目すべき画面や切替わりがあった画面を探索する、という認知的負荷を強いられることなくプレゼンテーションの内容を理解する、という聞き手本来の役割に注力できる。
【００１２】
前記制御手段は、所定の時間だけ前記画像を識別できるよう表示を制御することを特徴とする。前記制御手段は、たとえば前記画面に対して枠の付加、前記画面の明度の変化、デザインフォームの変更および前記画面の拡大のうちの少なくとも一つにより前記画面を識別できるよう表示を制御する。前記制御手段は、たとえば資料が重なり合うよう表示を制御する。
【００１３】
本発明のプレゼンテーションシステムは、前記複数の画面を切替えて投影する投影手段をさらに備えることを特徴とする。本発明のプレゼンテーションシステムは、前記画面を識別できるよう表示を制御する際に音声により報知する報知手段をさらに備える。
【００１４】
本発明は、投影されている複数の画面の中から所定の画面を選択するステップと、前記選択された画面を前記選択されていない画面から識別できる表示を制御するステップとを有するプレゼンテーション支援方法である。本発明によれば、複数の画面を利用してプレゼンテーションを実施する場合、発表者が注視してもらいたい画面を選択し、表示することで、聞き手は注視すべき画面を容易に知ることが可能となる。
【００１５】
本発明は、投影されている複数の画面のうちの切替わった画面を検出するステップと、前記切替わった画面を切替が行われていない画面から識別できるよう表示を制御するステップとを有するプレゼンテーション支援方法である。本発明によれば、聞き手は注視すべき画面を容易に知ることが可能となる。そのため、聞き手は注目すべき画面や切替わりがあった画面を探索する、という認知的負荷を強いられることなくプレゼンテーションの内容を理解する、という聞き手本来の役割に注力できる。
【発明の効果】
【００１６】
本発明によれば、複数の画面を利用したプレゼンテーションを行う際に、聞き手側が注視すべき画面を容易に知ることができるプレゼンテーションシステムおよびプレゼンテーション支援方法を提供できる。
【発明を実施するための最良の形態】
【００１７】
以下、本発明を実施するための最良の形態について説明する。図１は、本発明によるプレゼンテーションシステムの一実施例を示すブロック図である。プレゼンテーションシステム１０は、ＰＣ１、画面選択部２、切替画面検出部３、表示制御部４、表示時間判断部５、表示部６およびスピーカ（報知部）７を備える。
【００１８】
プレゼンテーションシステム１０は、複数の画面を利用してプレゼンテーションを行うシステムである。ＰＣ１は、複数の画面を表示するためのプレゼンテーション資料の映像信号を出力する。画面選択部２は、投影されている複数の画面の中からユーザが説明する（所定の）画面を選択するものである。ここで、画面選択部２は、たとえばマウスなどのポインティングデバイスやリモコンなどによる無線システム、タッチパネルなどにより構成される。
【００１９】
また、画面選択部２は、ユーザの状態、例えば発表者の視線や脳波、呼吸などの生体信号や動作、姿勢、位置などの動きを利用して画面を選択するようにしてもよい。この画面選択部２により、発表者が話す内容が表示されている画面を聞き手に明確に知らせることができ、聞き手を特定の画面に注目させることができる。切替画面検出部３は、プレゼンテーション進行中に、投影されている複数の画面のうちの切替わった画面を検出するものである。
【００２０】
表示制御部４は、画面選択部２によって選択された画面を画面選択部２によって選択されていない画面から識別できるよう表示を制御するものである。ここで、表示制御部４は、たとえば選択された画面に提示されているプレゼンテーション資料に色のついた太枠を付加（枠の付加）したり、画面の明度を上げたり（画面の明度の変化）、デザインフォームを変更（デザインフォームの変更）したり、画面を大きくする（画面の拡大）などにより、画面を識別できるよう表示する。
【００２１】
また、表示制御部４は、切替画面検出部３によって検出された切替画面を切替が行われていない画面から識別できるよう表示を制御する。ここで、表示制御部４は、たとえばプレゼンテーション資料のスライドが重なり合うようにして表示を制御して画面が切替わったことを表現する。表示時間判断部５は、画像を識別できるよう表示する時間を判断するものである。これにより、表示制御部４は、所定の時間だけ画像を識別できるよう表示を制御することができる。表示部６は、たとえばプロジェクターで構成され、スクリーンＳ１〜Ｓ３に複数の画面を切替えて投影する。スピーカ７は、画面を識別できるよう表示を制御する際に特定の音を音声により出すことにより画面が選択されていることをユーザに分かるようにするためのものである。
【００２２】
図２は、画面選択部２により選択された画面の表示例を示す図である。図２では、３つのスクリーンＳ１〜Ｓ３上に、プレゼンテーションで使用する三つの画面１０、２０、３０のうち、発表者が画面選択部２を用いて選択した画面２０に提示されている資料に太枠２１を付加して表示している。このように、たとえば３つの画面を横に並べた形態でプレゼンテーションをする場面において、発表者が真中の画面の表示内容を切替えることを選択した場合、選択された画面であることを明示する表示様態となり、左端と右端の表示内容が切替わることがないため、聞き手は安心して真中の画面に注視すればよい。
【００２３】
図３は、画面選択部２により選択された画面および切替画面の表示例を示す図である。図３（ａ）では、スクリーンＳ１〜Ｓ３上に、画面１０、２０、３０がそれぞれ投影されている。また、発表者が画面選択部２を用いて選択した画面２０に提示されている資料に太枠２１が付加して表示されている。同図（ｂ）では、プレゼンテーションの進行に伴い、画面２０、３０で提示されている資料が切替わり、それぞれ画面５０、６０になったことを示している。画面の切替は、切替画面検出部３により検出される。
【００２４】
画面５０は、発表者が選択した画面であり、かつ、プレゼンテーションの進行と共に資料が切替わった画面である。そのため、画面５０には選択画面であることを示す太枠２１が示され、画面５０と画面６０には資料の切替わりを示す、重なり合った表示様態５１および６１が付与されている。なお、画面の切替わりを表す方法として、資料が重なり合った様態を示す形態に限定されるものではない。
【００２５】
次に、本発明によるプレゼンテーションシステム１０における動作について説明する。図４は、本発明のプレゼンテーションシステムの処理手順を示すフローチャートである。ステップＳ１０１で、表示部６は、複数のスクリーンＳ１〜Ｓ３にプレゼンテーションで利用する複数の画面を投影する。ステップＳ１０２で、発表者は、画面選択部２を用いてプレゼンテーションで主に話す内容と関係のある資料が提示されている画面を選択する。ステップＳ１０３で、表示制御部４は、図２で示したように、画面選択部２によって選択された画面を画面選択部２によって選択されていない画面から識別できるよう表示を制御する。
【００２６】
ステップＳ１０４で、切替画面検出部３は、説明画面の切替えを検出する。ステップＳ１０５で、表示制御部４は、図３で示したように、切替画面検出部３によって検出された切替画面を切替が行われていない画面から識別できるよう表示を制御する。これにより、プレゼンテーションの聞き手に画面の切替があったことを明確に伝えることができる。プレゼンテーション資料は一連のデザインフォーマットで発表されることも多く、似たような絵柄、ほぼ同じ文字量のみで構成されているスライド群である場合、異なるスライド資料を表示しているにも関わらず、スライド資料が異なっていること、つまり資料の切替わりが聞き手に認識されないことがある。画面の切替えがあったことを表示することにより資料の切替わりが聞き手に気付かれないことを防ぐことができる。
【００２７】
次に、選択画面が一定時間経過したときの動作について説明する。図５は、図４に示すステップＳ１０３において、選択画面が一定時間経過したときの処理手順を示すフローチャートである。ステップＳ２０１で、表示制御部４は、発表者が画面選択部２で選択した画面を、たとえば資料に色のついた太枠が付与するなどして選択されていない画面から識別できるように表示を制御する。ステップＳ２０２で、表示時間判断部５は、画面を識別できるように表示をしてからの経過時間を判断する。
【００２８】
ステップＳ２０２で、表示制御部４は、予め定められた時間に達した場合、ステップＳ２０３で、画面を選択したことを示す太枠を非表示にする。プレゼンテーションの進行に伴って、画面に表示されている資料の切替わりがあったかどうか、全ての画面に対して確認をする。プレゼンテーションのための資料は、複数枚のスライドで構成された資料を用いることが多く、画面表示の切替わりとは、画面に表示されているスライドの切替わりを指す。画面表示の切替わりはスライドの切替わりに限定されるものではない。
【００２９】
次に、画面の切替えから一定時間経過したときの処理手順について説明する。図６は、ステップＳ１０５の画面の切替えから一定時間経過したときの処理手順を示すフローチャートである。ステップＳ３０１で、表示制御部４は、切替画面検出部３によって検出された切替画面を切替が行われていない画面から識別できるよう表示を制御する。ステップＳ３０２で、表示時間判断部５は、画面が切替わって所定時間経過したことを判断すると、ステップＳ３０３で、表示制御部４は、切替画面であることを示す、重なり合った表示様態を非表示にする。
【００３０】
図７は、画面選択で生じた表示様態および画面の切替わりを示す表示形態を非表示にした時の様子を示す図である。プレゼンテーションの資料は引き続き提示されているが、資料に付与されていた太枠および資料の重なり合った表示様態が非表示にされている。図４のステップＳ１０２において、プレゼンテーションで主に話す内容と関係のある資料が提示されている画面を、発表者が選択するステップは、プレゼンテーション実施中に適宜実施されるステップであり、プレゼンテーション実施中に選択する画面を変更していくことも可能である。
【００３１】
上記プレゼンテーションシステム１０によれば、発表者が発表に注視している画面を選択表示し、画面の切替があったことを表示するので、聞き手は注視すべき画面、切替えがあった画面を容易に知ることができ、発表内容の理解に努めることができる。そのため、聞き手は注目すべき画面や切替わりがあった画面を探索する、という認知的負荷を強いられることなくプレゼンテーションの内容を理解することができる。よって、聞き手側にとって、発表内容の理解促進を阻害することのないプレゼンテーションシステムを提供できる。
【００３２】
なお、通常は、図２で示したように、聞き手の注意を一つの画面に集中させるために、発表者が選択する画面は一つであるが、本発明は、一画面のみの選択に限ったものではなく、図３で示したように、同時に複数の画面を選択した場合でも本発明を適用することができる。たとえば４つの画面を利用してプレゼンテーションをする場合、２つの画面を選択して表示させることも可能である。
【００３３】
なお、本発明によるプレゼンテーション支援方法は、例えば、ＣＰＵ（Central Processing Unit）、ＲＯＭ(Read Only Memory)、ＲＡＭ(Random Access Memory)等を用いて実現される。プログラムをハードディスク装置や、ＣＤ−ＲＯＭ、ＤＶＤまたはフレキシブルディスクなどの可搬型記憶媒体等からインストールし、または通信回路からダウンロードし、ＣＰＵがこのプログラムを実行することで、各ステップが実現される。
【００３４】
以上本発明の好ましい実施例について詳述したが、本発明は係る特定の実施例に限定されるものではなく、特許請求の範囲に記載された本発明の要旨の範囲内において、種々の変形、変更が可能である。なお、表示制御部４が制御手段に、表示部６が投影手段にそれぞれ対応する。
【図面の簡単な説明】
【００３５】
【図１】本発明によるプレゼンテーションシステムの一実施例を示すブロック図である。
【図２】画面選択部２により選択された画面の表示例を示す図である。
【図３】画面選択部２により選択された画面および切替画面の表示例を示す図である。
【図４】本発明のプレゼンテーションシステムの処理手順を示すフローチャートである。
【図５】ステップＳ１０３において、選択画面が一定時間経過したときの処理手順を示すフローチャートである。
【図６】ステップＳ１０５の画面の切り替えから一定時間経過したときの処理手順を示すフローチャートである。
【図７】画面選択で生じた表示様態および画面の切替わりを示す表示形態を非表示にした時の様子を示す図である。
【符号の説明】
【００３６】
１０  プレゼンテーションシステム
１  ＰＣ
２  画面選択部
３  切替画面検出部
４  表示制御部
５  表示時間判断部
６  表示部
７  スピーカ
【図１】
2006251258.tif 000003
【図２】
2006251258.tif 000004
【図３】
2006251258.tif 000005
【図４】
2006251258.tif 000006
【図５】
2006251258.tif 000007
【図６】
2006251258.tif 000008
【図７】
2006251258.tif 000009